(57)【要約】      （修正有）【課題】正確な重量計測を妨げることなく魚重量計内を液密状にすることができる防水機構を備えた魚重量計を提供する。【解決手段】魚重量計において、把持部２は、ケース１０内にケースの内周面と間隔をあけた状態で上下移動可能に配設され、上部が重量測定部２４に連結されかつ下部に保持部が連結される支持部４０と、ケース内に下側から水が浸入するのを防ぐための防水部５０と、を含む。防水部５０は、ケース内の下端部と支持部の下部との間に架け渡されて上下方向に伸縮可能な略筒状の蛇腹部５１を有し、蛇腹部の下端部には、ケースの下端部に液密状に取付固定される下側取付部５２が一体に設けられている一方、蛇腹部の上端部には、支持部の下部に液密状に圧接した状態で取付固定される上側取付部５３が一体に設けられている。【選択図】図４
0003209194.tif 000002
【実用新案登録請求の範囲】
【請求項１】
使用者の手で把持可能な把持部と、該把持部に連結されかつ魚を吊り下げた状態で保持可能な保持部とを備え、魚の重量を測定する魚重量計であって、
前記把持部は、
上下方向に延びる略筒状のケースと、
前記ケース内の上部に設けられ、魚の重量計測を行う重量測定部と、
前記ケース内に該ケースの内周面と間隔をあけた状態で上下移動可能に配設され、上部が前記重量測定部に連結されかつ下部に前記保持部が連結される略筒状の支持部と、
前記ケース内に下側から水が浸入するのを防ぐための防水部と、を有し、
前記防水部は、前記ケース内の下端部と前記支持部の下部との間に架け渡されて上下方向に伸縮可能な略筒状の蛇腹部を有し、
前記蛇腹部の下端部には、前記ケースの下端部に液密状に取付固定される下側取付部が一体に設けられている一方、前記蛇腹部の上端部には、前記支持部の下部に液密状に圧接した状態で取付固定される上側取付部が一体に設けられている、魚重量計。
【請求項２】
請求項１に記載の魚重量計において、
前記ケースの下端部に下カバーが取り付けられ、
前記下カバーは、略環状の底部と、該底部の周縁から上方に向かって立設された筒状の側壁部とを有しており、
前記下カバーの側壁部が前記ケースの下端部に外嵌合された状態で、前記蛇腹部の下側取付部が該ケースの下端部と前記下カバーの底部周縁との間に上下方向に挟持されて取付固定されている、魚重量計。
【請求項３】
請求項１または２に記載の魚重量計において、
前記支持部の下部外周面および前記蛇腹部の上側取付部の内周面の各々には、一方の周面に凹陥した溝部が周方向に沿って形成されており、他方の周面に前記溝部に嵌合する凸条部が周方向に沿って形成されている、魚重量計。
【考案の詳細な説明】
【技術分野】
【０００１】
本考案は、魚の重量を測定する魚重量計に関するものである。
【背景技術】
【０００２】
従来、バネ量り方式またはロードセル方式により魚の重量を測定する魚重量計として、例えば特許文献１および２のようなものが提案されている。
【０００３】
特許文献１には、使用者の手で把持可能な量り部と、該量り部に連結されかつ魚を吊り下げた状態で保持可能な挟持部とを備えた魚掴み器が開示されている。量り部は、上下方向に延びる略筒状の握り部と、握り部内の上部に設けられた量り用のコイル弾機と、握り部の筒内に該握り部の内周面と間隙をあけた状態で上下移動可能に配設され、上部がコイル弾機に連結されかつ下部に挟持部が連結される略円筒状の可動部と、を有している。
【０００４】
また、特許文献２には、鉤状のフックを先部に有するロッドと、該ロッド上端部に固定された柄部とを備えた釣り用掛止具が開示されている。柄部は、上下方向に延びる略円筒状の柄カバーと、柄カバー内壁面に対し遊嵌状に配設されかつ下端部にロッドが連結された芯金と、柄カバー内で芯金に固着されたロードセルと、芯金の下側に対応する位置で柄カバー内壁面に埋設された上下一対のＯリング（密閉部材）と、を有している。
【先行技術文献】
【特許文献】
【０００５】
【特許文献１】特開２００６−２０４１１８号公報
【特許文献２】実用新案登録第２５６１９９７号公報
【考案の概要】
【考案が解決しようとする課題】
【０００６】
ここで、特許文献１の魚掴み器には、握り部内に下側から水が浸入するのを防止する防水機構が設けられていない。このため、特に握り部内のコイル弾機が水に濡れて錆びやすく、魚の重量を正確に測定できないおそれがあった。また、例えば特許文献１の魚掴み器を、特許文献２のようなロードセル方式の構成に置き換えて魚の重量を電気的に計測可能にしたとしても、握り部内に下側から水が浸入してロードセルなどの電子部品が故障するおそれがある。さらに、特許文献１の魚掴み器には握り部内で可動体をスムーズに上下移動させるために握り部の内周面と可動部の外周面との間に間隙が存在するため、仮に該間隙に特許文献２のようなＯリングを配設すると、Ｏリングが間隙を塞いで可動体の上下移動を阻害してしまう。その結果、正確な重量計測ができず、Ｏリングが摩耗で経年劣化するおそれもある。このように、特許文献１の魚掴み器のような構造に関し、正確な重量計測を妨げることなく魚掴み器内を液密状にすることが可能な防水機構が存在しなかった。
【０００７】
本考案は斯かる点に鑑みてなされたものであり、その目的は、正確な重量計測を妨げることなく魚重量計内を液密状にすることができるようにすることにある。
【課題を解決するための手段】
【０００８】
上記の目的を達成するために、本考案の一実施形態に係る魚重量計は魚の重量を測定するものであり、この魚重量計は、使用者の手で把持可能な把持部と、該把持部に連結されかつ魚を吊り下げた状態で保持可能な保持部とを備えている。把持部は、上下方向に延びる略筒状のケースと、ケース内の上部に設けられ、魚の重量計測を行う重量測定部と、ケース内に該ケースの内周面と間隔をあけた状態で上下移動可能に配設され、上部が重量測定部に連結されかつ下部に保持部が連結される略筒状の支持部と、ケース内に下側から水が浸入するのを防ぐための防水部と、を有している。防水部は、ケース内の下端部と支持部の下部との間に架け渡されて上下方向に伸縮可能な略筒状の蛇腹部を有している。そして、蛇腹部の下端部には、ケースの下端部に液密状に取付固定される下側取付部が一体に設けられている一方、蛇腹部の上端部には、支持部の下部に液密状に圧接した状態で取付固定される上側取付部が一体に設けられていることを特徴とする。
【０００９】
本考案の一実施形態に係る魚重量計では、上側および下側取付部を有する防水部によりケース下部で二重に防水された液密構造となっているため、ケースの下側から内部に水が浸入し難く、ケース上部に配置された重量測定部を適切に保護することができる。また、防水部の蛇腹部により支持部の上下移動が阻害されないため、正確な重量計測が可能となるとともに、支持部の上下移動により防水部の各部が摩耗するおそれがなく、防水部の経年劣化が抑制される。
【考案の効果】
【００１０】
以上のように、本考案によると、正確な重量計測を妨げることなく魚重量計内を液密状にすることができる。
【図面の簡単な説明】
【００１１】
【図１】図１は、本考案の実施形態に係る魚重量計を側方から見て示す全体斜視図である。
【図２】図２は、把持部を上方から見て示す全体斜視図である。
【図３】図３は、把持部の下部を分解して正面側から見て示す分解斜視図である。
【図４】図４は、図２に示す把持部の縦断面図である。
【図５】図５は、図４のＶ部拡大図である。
【図６】図６は、魚重量計の機能構成を示すブロック図である。
【考案を実施するための形態】
【００１２】
以下、本考案の実施形態を図面に基づいて詳細に説明する。以下の実施形態の説明は、本質的に例示に過ぎず、本考案、その適用物或いはその用途を制限することを意図するものではない。
【００１３】
図１は、本考案の実施形態に係る魚重量計１の全体を示しており、魚重量計１は、使用者の手で把持可能な把持部２と、魚を保持する保持部３と、を備えている。
【００１４】
保持部３の上部には、一対の連結片４，４（図１では片方の連結片４のみを破線で示す）が上下方向に延びるように形成されている。この各連結片４には、把持部２に連結固定するための取付孔５，５が上下方向に間隔をあけて形成されている。また、保持部３の下部には、魚を吊り下げた状態で保持可能な鈎部６が形成されている一方、保持部３の上側には、鈎部６を外側方向に開くための引き部７が設けられている。さらに、保持部３の表面には、寸法計測用のマーカー８が付されている。このマーカー８は、保持部３の鈎部６に保持された魚の寸法を計測するための基準寸法となるものである。
【００１５】
次に、図１〜図３に示すように、把持部２はケース１０を備えている。ケース１０は、上下方向に延びる略円筒状のケース本体部１１と、ケース本体部１１の上端部に連続しかつ該上端部から上方に向かって外側に拡がる椀状の収容部１２とを有している。また、収容部１２の上側には上カバー１３が取り付けられている。収容部１２には、表示部２１、操作部２２、電池蓋２３、重量測定部２４、制御基板２８、コイン電池２７が収納されている。
【００１６】
ここで、表示部２１は重量測定部２４により測定した魚の重量データを表示するためのものであり、操作部２２は使用者が重量計測の操作を行うためのものである。図２に示すように、表示部２１および操作部２２は、上カバー１３の天面に配設されている。また、図４にも示すように、電池蓋２３は上カバー１３に対し着脱可能に設けられており、上カバー１３から電池蓋２３を取り外すことで収容部１２内にコイン電池２７を出し入れ可能となっている。コイン電池２７は、制御基板２８、表示部２１、重量測定部２４に電気を供給するものであり、電池蓋２３が上カバー１３に取り付けられた状態で制御基板２８上に接触するようになっている。
【００１７】
重量測定部２４は、保持部３に保持された魚の重量を測定するためのものである。図１および図４に示すように、重量測定部２４は、収容部１２の下側に配置されている。重量測定部２４により測定された魚の重量データは、無線通信ユニット２６により無線方式で外部機器に送信可能となっている（図６参照）。また、重量測定部２４の上側には、制御部２５と無線通信ユニット２６とからなる制御基板２８が配置されている。
【００１８】
図６に示すように、制御部２５は、表示部２１、操作部２２、重量測定部２４、無線通信ユニット２６のそれぞれと電気的に接続されている。制御部２５は、例えば操作部２２に入力された操作指示により重量測定を開始し、重量測定部２４で測定された重量データを表示部２１に表示し、無線通信ユニット２６から外部機器に送信するという制御を行うようになっている。
【００１９】
次に、図３〜図５に示すように、ケース本体部１１の下端部には後述する下カバー３０をケース１０に取り付けるための嵌合部１４が設けられている。嵌合部１４は、ケース１０外壁面から半径方向内側に向かって切り欠かれた部分がケース１０の周方向に沿うように形成されている。嵌合部１４の外壁面下側には、周方向に延びる複数の下側係合部１５，１５，…が半径方向外側に向かって突設されかつ嵌合部１４の周方向に沿って等角度間隔になるように配置されている（図３参照）。
【００２０】
図１〜図５に示すように、嵌合部１４には下カバー３０が取り付けられている。具体的に、下カバー３０は、略円環状の底部３１と、底部３１の周縁から上方に向かって立設された円筒状の側壁部３２とを有している。側壁部３２の内壁面上側には、周方向に延びる複数の上側係合部３３，３３，…が半径方向内側に向かって突設されかつ側壁部３２の周方向に沿って等角度間隔になるように配置されている（図３参照）。そして、下カバー３０は、側壁部３２が嵌合部１４に外嵌合しかつ各上側係合部３３が嵌合部１４の各下側係合部１５に係合した状態で嵌合部１４に取り付けられている。
【００２１】
ここで、図３に示すように、嵌合部１４には、外周面から突出しかつ上下方向に延びるストッパー部１６，１６，…が形成されている。同様に、下カバー３０にも内周面から突出しかつ上下方向に延びるストッパー部３４，３４，…が形成されている。そして、下側および上側係合部１５、３３の各々が各ストッパー部１６，３４に突き当たることで、下カバー３０が嵌合部１４に対し各ストッパー部１６，３４の位置で位置決めされている。
【００２２】
次に、図３〜図５に示すように、ケース１０内には、保持部３を支持する支持部４０が設けられている。支持部４０は、上下方向に延びる円筒状に形成されており、ケース１０の内周面と間隔をあけた状態で上下移動可能になっている。また、支持部４０内には、上下方向に延びる丸棒状の連結棒４１が配設されている。連結棒４１は、上端部が重量測定部２４に連結されかつ下端部が後述の連結部４２の上部に連結されるように構成されている。
【００２３】
支持部４０の下部には、保持部３を連結固定するための連結部４２が形成されている。連結部４２は、支持部４０の正面側および背面側の各々から半径方向内側に向かって切り欠かれており、その切り欠かれた部分が支持部４０の下端部から上方に向かって延びるように形成されている。連結部４２には、保持部３の各連結片４を取付固定するためのビス（図示せず）が挿入される取付孔４３，４３が上下方向に間隔をあけて形成されている。
【００２４】
また、連結部４２の上側には、支持部４０外周面から半径方向外側に向かって突出した位置決め部４４が支持部４０の周方向に沿って延びている。この位置決め部４４により、後述する防水部５０の上側取付部５３が位置決め部４３の位置よりも上方に移動しないように規制されている。さらに、位置決め部４４の下側において、支持部４０の下部外周面には、凹陥した溝部４５が周方向に沿って形成されている。
【００２５】
次に、図３〜図５に示すように、ケース１０には、ケース１０内に下側から水が浸入するのを防ぐための防水部５０が設けられている。防水部５０は、例えば可撓性を有するゴム材からなる。防水部５０は、上下方向に延びる略円筒状に形成されており、ケース１０内で連結部４２を含む支持部４０の下部に対応する位置に配設されている。
【００２６】
防水部５０は、略円筒状の蛇腹部５１を有している。この蛇腹部５１は、支持部４０の下部（連結部４２）を覆う位置に配置されており、ケース１０内の下端部と支持部４０の下部との間に架け渡されて上下方向に伸縮可能に構成されている。
【００２７】
蛇腹部５１の下端部には、下側取付部５２が一体に設けられている。下側取付部５２は、ケース１０の下端部に液密状に取付固定されている。具体的に、下側取付部５２は、周縁部分が防水部５０の半径方向外側に向かって拡がる円環状に形成されている。また、下側取付部５２は、その厚みが蛇腹部５１の厚みよりも大きくなるように形成されている。そして、下側取付部５２は、ケース１０（嵌合部１４）の下端部と下カバー３０の底部３１との間で上下に挟持された状態でケース１０および下カバー３０に取付固定されている。
【００２８】
一方、蛇腹部５１の上端部には、上側取付部５３が一体に設けられている。上側取付部５３は、支持部４０の下部に液密状に圧接した状態で取付固定されている。具体的に、上側取付部５３は、その厚みが蛇腹部５１の厚みよりも大きくなるように形成され、かつ外周面が凹凸状に形成されている（図５参照）。また、上側取付部５３は、その内径が支持部４０の外径よりも小さくなるように形成されている。これにより、上側取付部５３が支持部４０の下部に液密状に圧接するようになっている。さらに、上側取付部５３の内周面には、支持部４０の溝部４５に嵌合する凸条部５４が周方向に沿って形成されている。
【００２９】
［実施形態の作用効果］
以上のように、本実施形態に係る魚重量計１では、蛇腹部５１と一体に設けられた上側および下側取付部５２，５３を有する防水部５０によりケース１０下部で二重に防水された液密構造となっている。このため、ケース１０の下側から内部に水が浸入し難く、ケース１０上部に配置された重量測定部２４を適切に保護することができる。また、蛇腹部５１がケース１０内の下端部と支持部４０の下部との間に架け渡されて上下方向に伸縮可能となっていることから、防水部５０により支持部４０の上下移動が阻害されず、保持部３に吊り下げられた魚の重量が支持部４０を介して重量測定部２４に適切に伝わって正確な重量計測が可能となる。さらに、防水部５０には支持部４０の上下移動を阻害する要因がなく、支持部４０が上下移動しても防水部５０の各部が摩耗しないようになっているため、防水部５０の経年劣化が抑制される。したがって、魚重量計１では、正確な重量計測を妨げることなく魚重量計１内を液密状にすることができる。
【００３０】
また、下カバー３０の側壁部３２がケース１０の下端部に外嵌合された状態で、蛇腹部５１の下側取付部５２がケース１０の下端部と下カバー３０の底部３１周縁との間に上下方向に挟持されて取付固定されていることから、ケース１０下端部での防水効果をより一層高めることができる。
【００３１】
さらに、支持部４０の下部外周面には、凹陥した溝部４５が周方向に沿って形成されている一方、防水部５０において、蛇腹部５１の上側取付部５３内周面には、溝部４５に嵌合する凸条部５４が周方向に沿って形成されている。このため、凸条部５４が溝部４５に嵌合した状態において、支持部４０に対する蛇腹部５１の上側取付部５３の位置ずれが生じにくく、かつ上側取付部５３が支持部４０の下部に液密状に圧接した状態をより一層維持しやすくすることができる。
【００３２】
［その他の実施形態］
上記実施形態に係る魚重量計１では、防水部５０の凸条部５４を支持部４０の溝部４５に嵌合させた形態を示したが、この形態に限られない。すなわち、支持部４０の下部外周面に凸条部５４を形成し、かつ蛇腹部５１の上側取付部５３の内周面に溝部４５を形成した形態であってもよい。この形態でも上述した形態と同様の効果を奏する。あるいは、魚重量計１として、凸条部５４を溝部４５に嵌合させた構成を備えない形態であってもよい。
【００３３】
以上、本考案についての実施形態を説明したが、本考案は上述の実施形態のみに限定されず、考案の範囲内で種々の変更が可能である。
【符号の説明】
【００３４】
１：魚重量計、２：把持部、３：保持部、１０：ケース、２４：重量測定部、３０：下カバー、３１：底部、３２：側壁部、４０：支持部、４２：連結部、４５：溝部、５０：防水部、５１：蛇腹部、５２：下側取付部、５３：上側取付部、５４：凸条部
【図１】
0003209194.tif 000003
【図２】
0003209194.tif 000004
【図３】
0003209194.tif 000005
【図４】
0003209194.tif 000006
【図５】
0003209194.tif 000007
【図６】
0003209194.tif 000008